(57)【要約】【課題】経時的な磨耗による隙間が生じることがなく、メンテナンスも容易な廃棄物の破砕物運搬用コンベアを提供すること。【解決手段】可撓性を有する金属製パンの端部同士を、上側押さえ板と下側押さえ板で挟持結合し、複数の金属製パンが接続されてなるコンベア用無端ベルト、及び該コンベア用無端ベルトの前記押さえ板の両端に孔を形成し、前記無端ベルトの両端を支持するプーリに前記孔に嵌合する突起を設けるか、無端ベルトの前記押さえ板の両端をコンベア用無端チェーンに結合し、該無端チェーンの両端をスプロケットで支持したベルトコンベア。【選択図】図２
2015020891.tif 000002
【特許請求の範囲】
【請求項１】
可撓性を有する金属製パンの端部同士を、上側押さえ板と下側押さえ板で挟持結合し、複数の金属製パンが接続されてなるコンベア用無端ベルト。
【請求項２】
上側押さえ板にリフターが設けられている請求項１記載のコンベア用無端ベルト。
【請求項３】
請求項１又は２記載のコンベア用無端ベルトの前記押さえ板の両端に孔を形成し、前記無端ベルトの両端を支持するプーリに前記孔に嵌合する突起を設けたベルトコンベア。
【請求項４】
請求項１又は２記載のコンベア用無端ベルトの両端を支持するプーリに前記押さえ板が嵌合する溝を設けたベルトコンベア。
【請求項５】
請求項１又は２記載の無端ベルトの前記押さえ板の両端をコンベア用無端チェーンに結合し、該無端チェーンの両端をスプロケットで支持したベルトコンベア。
【発明の詳細な説明】
【技術分野】
【０００１】
本発明は、廃棄物の破砕物運搬用コンベアに関し、特に破砕物に火災が発生した場合にも耐えられる耐火コンベアに関する。
【背景技術】
【０００２】
材質や大きさが様々な都市ごみや産業廃棄物を処理するに当っては、まず、破砕機で所定の大きさに破砕してから、金属／非金属、可燃物／不燃物などに選別し、性状にあわせて処理している。
【０００３】
金属を含む廃棄物を破砕機で破砕すると、廃棄物中の金属は破砕されるときの摩擦熱により赤熱金属片となる。この赤熱金属片は２００℃もの高温となることがあり、このような高温の赤熱金属片に可燃性廃棄物が接触すると、これらは次第に加熱されて発火し、火災を発生させる。
【０００４】
このとき、コンベアベルトが織布や合成ゴム等の可燃性であれば、燃焼して分断し、発火した積載物が落下して被害が拡大する。このため、発火して高温となる可能性がある材料を移送する場合には、耐火性のコンベアベルトが使用されるようになっている。
【０００５】
耐火性コンベアベルトとしては、金属ネットベルトや可撓性金属パンを無端ベルト状に形成したものが知られており、これらのベルトはメンテナンスの点から分割構造とされることが多い（特許文献１、２）。
【０００６】
大きさがさまざまな廃棄物の破砕物の移送には、複数の可撓性金属パンを接続して無端ベルトとしたものが利用され、これら可撓性金属パンを接続する手段として、蝶番方式が採用されていた。
【０００７】
しかしこの方式では、経時的な磨耗により蝶番部に隙間が生じ、積載物が落下してしまうという問題があった。
【先行技術文献】
【特許文献】
【０００８】
【特許文献１】特開平０３−１１５００６号公報
【特許文献２】特開２０００−３０９４１７号公報
【発明の概要】
【発明が解決しようとする課題】
【０００９】
本発明の課題は、経時的な磨耗による隙間が生じることがなく、メンテナンスも容易な廃棄物の破砕物運搬用コンベアを提供することである。
【課題を解決するための手段】
【００１０】
本発明は、上記の課題を解決するため、可撓性を有する金属製パンの端部同士を、上側押さえ板と下側押さえ板で挟持結合し、複数の金属製パンが接続されたコンベア用無端ベルトとしたことを特徴とする。
【発明の効果】
【００１１】
上記のような構成を採用すれば、金属製パンの接続部は上下の押さえ板で挟持されるので、経時的な磨耗があっても隙間が生じることはなく、結合を螺着等の方法により着脱自在とすることにより、損傷したパンのみを交換修復することができるので、メンテナンスが容易である。
【００１２】
また、本件発明のコンベア用無端ベルトを駆動する手段として、押さえ板の両端を夫々駆動用チェーンベルトに結合するか、押さえ板の両端に孔を形成し、前記無端ベルトの両端を支持するプーリに前記孔に嵌合する突起を設けて駆動すれば、駆動力は抑え板を介してベルトを駆動されるので、廃棄物の破砕物など、比較的重量の大きいものも確実に搬送することができる。
【００１３】
さらに、上側押さえ板にリフターを固定すれば、廃棄物の破砕物などの比較的重量の大きいものも、急勾配で搬送することができる。
【図面の簡単な説明】
【００１４】
【図１】従来の金属ベルトの例
【図２】本発明の金属ベルトの例
【図３】本発明の金属ベルトにおける金属パンの接続の例
【図４】本発明の金属ベルトの駆動手段の例
【発明を実施するための形態】
【００１５】
図１は、従来例の金属ベルトの例を示す。この例では、複数の金属パン１の両端を蝶番に形成し、金属ピン２で接続して無端ベルトとしている。金属ピン２を取り外せば、各金属パン１を取り外すことができるので、一部の金属パン１が損傷したときにも交換や修理が容易にできる。
しかし、上述したように、このような構造では、金属ピン２と金属パン１の接続部が経時的に磨耗し、金属パン１の接続部に隙間が生じてしまい、この隙間から搬送物が落下したり、隙間に挟まったりしてしまうという問題が生じた。
【００１６】
図２は、本発明の一実施例を示すが、本発明はこれに限定されるものではない。
【００１７】
本発明の無端ベルトは、複数の金属パン３の端部を上側押さえ板４と下側押さえ板５により挟持し、ボルト８とナット９で固定して形成される。複数の金属パン３の接続部は上側押さえ板４と下側押さえ板５により挟持されているので、経時的に磨耗が生じても金属パン３の接続部に隙間は生じない。なお、６は、コンベア装置に設けられるスカート（図示せず）の外側に位置し、スカートと金属パンの隙間よりこぼれた細かな搬送物が側面よりこぼれるのを防止するこぼれ防止部材である。また、上側押さえ板４にリフター７を形成しておけば、急勾配での搬送が可能となる。
【００１８】
図２の実施例では、金属パン３の端部、上側押さえ板４及び下側押さえ板５はボルト・ナットで固定されるが、少なくとも片方の金属パン３が取り外し可能であれば、周知の固定手段で置き換えることができる。
【００１９】
このような無端ベルトを駆動するには、下側押さえ板５の両端を一対のチェーンベルト１０に固定し、この一対のチェーンベルトの両端をスプロケットプーリで回動させればよい。
【００２０】
図３（１）は、金属パン３の接続部の拡大断面図である。図３（２）の実施例は、金属パン３を重ね合わせて上側押さえ板４及び下側押さえ板５で挟持する構成で、ボルト・ナットの数が少なくて済む。
【００２１】
図４は、本発明の無端ベルトの他の駆動手段を示す。
この実施例では、上側押さえ板４及び下側押さえ板５の両端部に孔１１を形成し、ベルトを駆動するプーリ１２に該孔１１に嵌合する突起１３が設けられている。
【００２２】
１４は、無端ベルト下側の押さえ板５やボルト・ナットの突出部を逃げる溝であるが、前記突出部の突出量が少なければ省略でき、逆に下側押さえ板５の強度が充分であれば、前記溝１４を下側押さえ板５に係合させることにより、前記孔１１及び突起１３を省略することもできる。
【符号の説明】
【００２３】
１、３  金属パン
２  金属ピン
４  上側押さえ板
５  下側押さえ板
６  こぼれ防止部材
７  リフター
８  ボルト
９  ナット
１０  チェーンベルト
１１  孔
１２  プーリ
１３  突起
１４  溝
【図１】
2015020891.tif 000003
【図２】
2015020891.tif 000004
【図３】
2015020891.tif 000005
【図４】
2015020891.tif 000006